(57)【要約】【課題】身近な生活場所に、ビオトープを、誰でもが手軽に形成できるようにするための、簡便な、ビオトープ空間形成装置を提供する。【解決手段】ビオトープ空間を形成しようとする小規模の施設場所に並べて設置可能な複数の水槽１０と、その複数の各水槽の４方以上の側面のそれぞれに設けられた、水槽内の水を排出する排水穴１２と、その排水穴を塞ぐ止水栓２０とを設ける。それと共に、その排水穴１２を通して、複数の隣り合う各水槽１０の内側空間を互いに連結するための連結管３０を備える。そして、その連結管３０により複数の隣り合う各水槽１０の内側空間を排水穴１２を通して互いに接続したり、その複数の各水槽の連結管３０が接続されていない排水穴１２を止水栓２０により塞いだりする。【選択図】図１
2005137317.tif 000002
【特許請求の範囲】
【請求項１】
ビオトープ空間を形成しようとする小規模の施設場所に並べて設置可能な複数の水槽と、その複数の各水槽の４方以上の側面のそれぞれに設けられた、水槽内の水を水槽外部に排出する排水穴と、その排水穴を塞ぐ止水栓とが設けられると共に、その排水穴を通して、前記複数の隣り合う各水槽の内側空間を互いに連結するための連結管が備えられて、その連結管を用いて複数の隣り合う各水槽の内側空間を前記排水穴を通して互いに接続した状態において、その連結管により互いに接続された複数の隣り合う各水槽内の水が連結管内を通して互いに流通し合うように構成されたことを特徴とするビオトープ空間形成装置。
【請求項２】
ビオトープ空間を形成しようとする小規模の施設場所に設置可能な水槽と、その水槽の４方以上の側面のそれぞれに設けられた、水槽内の水を水槽外部に排出する排水穴と、その排水穴を塞ぐ止水栓とが設けられてなることを特徴とするビオトープ空間形成装置。
【請求項３】
前記連結管が、複数の長短の長さを持つものからなることを特徴とする請求項１記載のビオトープ空間形成装置。
【請求項４】
前記水槽の側壁上端に沿って、植物植え込み用のハンギング型のポットを引掛けて吊るすための引掛け溝が連続して設けられると共に、その引掛け溝内側に溜まる水を引掛け溝外部に排出する排出路が設けられたことを特徴とする請求項１、２又は３記載のビオトープ空間形成装置。
【請求項５】
前記排水穴を水が流通可能なように塞ぐ網蓋が設けられたことを特徴とする請求項１、３又は４記載のビオトープ空間形成装置。
【請求項６】
前記水槽の側壁が、四角形以上の多角形状、円形状又はそれらに近い形状をしていることを特徴とする請求項１、２、３、４又は５記載のビオトープ空間形成装置。
【請求項７】
前記連結管が、その上部周壁に、連結管内側を覗くことの可能な窓を持つものであることを特徴とする請求項１、３、４、５又は６記載のビオトープ空間形成装置。
【請求項８】
前記連結管が、屈曲可能な蛇腹管構造をしていることを特徴とする請求項１、３、４、５、６又は７記載のビオトープ空間形成装置。
【発明の詳細な説明】
【技術分野】
【０００１】
本発明は、日常生活を営む狭い敷地、ベランダ等の身近な場所にビオトープを形成するための、ビオトープ空間形成装置に関する。
【背景技術】
【０００２】
生物を意味する”ｂｉｏ”と、場所を意味する”ｔｏｐｅ”とを合成した、ドイツ語を語源とするビオトープは、野生生物が持続して生息可能な環境空間を意味し、自然環境の保全が重要視される現在、植栽地、小川、池、樹林地などにおいて、生態系を持続的に維持するための、様々のビオトープの創出が試みられている。
ところで、このようようなビオトープが、本来意味する、豊かな自然空間を実現しようとすると、大規模な設置場所が必要となる。
そのため、狭い空き地や、ベランダ等の身近な生活空間の中に、日常生活に潤いを与えるための、自然豊かな生物の営み空間を意味する、ビオトープを、簡単な装置を用いて、誰でもが手軽に、形成できるようにすることが、一般に、強く求められているにも拘わらず、現状では、不可能であると、考えられている。
従来、複数の水槽を組み合わせて、その複数の水槽の間を水を循環させることにより、ビオトープ空間の形成を試みる装置も、開発されているが、それらの装置は、いずれも、その構造が複雑で取り扱いにくかったり、大きな設置場所を必要としたりして、一般に広く利用されるまでには、至っていない。
【特許文献１】特開平１１−１３２２００号公報
【特許文献２】実開平６−６０３４３号公報
【発明の開示】
【発明が解決しようとする課題】
【０００３】
そこで、本発明者は、鋭意研究の結果、身近な生活場所にビオトープ空間を形成しようとすると、水を貯めた水槽が必ず必要であり、そのビオトープ空間形成用の水槽を、曲がりくねる等した狭い空き地や、洗濯機等の様々の障害物が置かれたベランダ等に、自在に設置できるようにするためには、水槽を複数の小型の水槽に分割して、その複数に分割された小型の水槽を、その狭い空き地や障害物が置かれたベランダ等に、その施設場所の形状に倣って、曲がりくねらせる等して並べて置けば良いことに、想到した。
そして、そのビオトープ形成用の施設場所の形状に倣って並べて置かれた複数の隣り合う各水槽の間を連結管で繋いで、その複数の各水槽内に貯留された水を、連結管内を通して、互いに流通させ合えば良いことに、想到した。
そして、曲がりくねる等した狭い空き地や、障害物が置かれたベランダ等の身近な生活場所に、自然豊かな生態系空間である、ビオトープを、誰でもが手軽に形成できるようにするための、簡便な、ビオトープ空間形成装置を、開発した。
【０００４】
即ち、本発明は、狭い空き地や、障害物が置かれたベランダ等の身近な生活場所に、ビオトープを、誰でもが手軽に形成できるようにするための、簡便な、ビオトープ空間形成装置を提供することを目的としている。
【課題を解決するための手段】
【０００５】
このような目的を達成するために、本発明の第１のビオトープ空間形成装置は、
ビオトープ空間を形成しようとする小規模の施設場所に並べて設置可能な複数の水槽と、その複数の各水槽の４方以上の側面のそれぞれに設けられた、水槽内の水を排出する排水穴と、その排水穴を塞ぐ止水栓とが設けられると共に、その排水穴を通して、前記複数の隣り合う各水槽の内側空間を互いに連結するための連結管が備えられて、その連結管を用いて複数の隣り合う各水槽の内側空間を前記排水穴を通して互いに接続した状態において、その連結管により互いに接続された複数の隣り合う各水槽内の水が連結管内を通して互いに流通し合うように構成されたことを特徴としている。
【０００６】
また、このような目的を達成するために、本発明の第２のビオトープ空間形成装置は、
ビオトープ空間を形成しようとする小規模の施設場所に設置可能な水槽と、その水槽の４方以上の側面のそれぞれに設けられた、水槽内の水を排出する排水穴と、その排水穴を塞ぐ止水栓とが設けられてなることを特徴としている。
【０００７】
上記構成の第１のビオトープ空間形成装置においては、水槽が、複数の小型の水槽に分割されているため、その占有スペースの小さい複数の水槽を、ビオトープ空間を形成しようとする小規模の施設場所に、その設置場所の形状に倣って、自在に並べて設置できる。即ち、その複数の水槽を並べて設置する設置場所が、曲がりくねっていたり、その設置場所に障害物が置かれていたりしても、その複数の水槽を、その設置場所の形状に倣って、曲がりくねらせる等して、障害物を避けて、自在に並べて設置できる。
また、その小規模の設置場所の形状に倣って、曲がりくねらせる等して、障害物を避けて、その設置場所に並べて置かれた複数の各水槽の４方以上の側面のそれぞれには、水槽内の水を排出する排水穴が設けられている。したがって、その設置場所の形状に倣って、その設置場所に並べて置かれた複数の隣り合う各水槽の互いに対向する側面には、排水穴がそれぞれ存在することになる。そのために、その複数の隣り合う各水槽の互いに対向する側面に設けられた排水穴のそれぞれに、連結管の一方の端部と他方の端部とを、接続できる。そして、その連結管を介して、様々の方向に並ぶ複数の隣り合う各水槽の内側空間を互いに連結できる。そして、その様々の方向に並ぶ複数の隣り合う各水槽に貯留された水を、連結管内を通して、互いに流通させ合うことができる。他方、その小規模の設置場所に沿って並べて置かれた複数の各水槽側面の連結管が接続されていない排水穴は、止水栓により塞ぐことができる。そして、その連結管により排水穴が互いに接続されたり、その止水栓により排水穴が塞がれたりした複数の各水槽内の水中で、魚類や水棲昆虫等の生物を、飼育できる。
また、場合によっては、連結管が接続された水槽側面の排水穴を、その内側から止水栓で塞ぐことができる。そして、その止水栓で塞がれた排水穴及び該穴に接続された連結管内を通して、その水槽内の水が他の水槽に漏れ出したり、その水槽内の生物が他の水槽に移動したりするのを、防ぐことができる。
上記構成の第２のビオトープ空間形成装置においては、その水槽を、他の水槽から独立させた状態で、ビオトープを形成しようとする小規模の設置場所に置くことができる。そして、その独立させた水槽の側面に設けられた全ての排水穴を止水栓で塞ぐことにより、その水槽内に水を貯めた状態とすることができる。そして、その独立させた水槽内の水中で、魚類や水棲昆虫等の生物を、他の水槽内の生物から独立させて離した状態で、飼育できる。
その結果、上記構成の第１、第２のビオトープ空間形成装置を用いて、曲がりくねる等した狭い空き地や、様々の障害物が置かれたベランダ等の身近な場所に、連結管で互いに接続された状態で並べて置かれたり、他の水槽から独立させて置かれたりした、複数の水槽からなる様々の生物を飼育するためのビオトープ空間を、手数を掛けずに容易かつ迅速に形成できる。
または、上記構成の第１のビオトープ空間形成装置のみを用いて、狭い空き地やベランダ等の身近な場所に、連結管で互いに接続された状態で並べて置かれた複数の水槽からなる様々の生物を飼育するためのビオトープ空間を、手数を掛けずに容易かつ迅速に形成できる。
あるいは、上記構成の第２のビオトープ空間形成装置のみを用いて、狭い空き地やベランダ等の身近な場所に、連結管で互いに接続されない状態で独立させて置かれた１個以上の水槽からなる様々の生物を飼育するためのビオトープ空間を、手数を掛けずに容易かつ迅速に形成できる。
【０００８】
また、第１のビオトープ空間形成装置を用いて、ビオトープを形成しようとする場所に、複数の水槽を連結管により互いに接続した状態で並べて置いた場合には、その下流側の水槽内の水を、上流側の水槽内に、水槽外部に設けられた水循環路を通して戻す、水循環手段を備えることができる。水循環路には、冷却装置や浄化装置を備えて、その冷却装置により、上流側の水槽内に戻す水を所望温度に冷却したり、その浄化装置により、上流側の水槽内に戻す水を有機物等を含まない浄化された水とすることができる。そして、その冷却されたり、浄化されたりした水が戻される上流側の水槽内では、冷たい清流を好むイワナ等の生物を飼育し、多少汚れがあって比較的暖かな水が上流側の水槽内から連結管内を通して流れ込む下流側の水槽内では、そのような環境であっても差し支えのない身近な魚類や水棲昆虫等を飼育することができる。
さらに、複数の水槽を連結管により互いに接続した状態で並べて置いて、その下流側の水槽内の水を、上流側の水槽内に、水槽外部に設けられた水循環路を通して戻す、水循環手段を備えた場合には、その連結管により互いに接続された状態で並べて置かれた複数の各水槽内に、濾過材を敷設することにより、その複数の各水槽内の水中に生息する生物が排泄する有機物等を濾過して除去することができる。そして、その複数の各水槽内に溜まった水をクリーンな状態に保持し続けることができる。
【０００９】
本発明の第１のビオトープ空間形成装置においては、連結管を、複数の長短の長さを持つものから構成すると、良い。
【００１０】
そうした場合には、ビオトープを形成しようとする場所に大小様々の間隔をあけて並べて置かれた複数の隣り合う各水槽の間を、その大小様々の間隔に合った、長短の連結管を介して、容易かつ的確に接続することができる。そして、その複数の水槽を、より自由な配列で、ビオトープを形成しようとする場所に大小様々の間隔をあけて並べて設置することが可能となる。
【００１１】
本発明の第１、第２のビオトープ空間形成装置においては、その水槽の側壁上端に沿って、植物植え込み用のハンギング型のポットを引掛けて吊るすための引掛け溝を連続して設けると共に、その引掛け溝内側に溜まる水を引掛け溝外部に排出する排出路を設けると、良い。
【００１２】
そうした場合には、そのビオトープ空間の施設場所に置かれた水槽の側壁上端に沿って設けられた引掛け溝に、様々の植物を植え込んだハンギング型のポットを引掛けて吊るすことができる。ハンギング型のポットは、水槽外側に吊るすことが勿論可能であるが、水の溜まった水槽内側に吊るすことも可能である。そして、地上植物や水棲植物が植え込まれたビオトープ空間を自在に具現化できる。また、引掛け溝が水槽の側壁上端に沿って連続して設けられているために、その植物を植え込んだハンギング型のポットを、水槽の側壁上端の様々の箇所に自在に引掛けて吊るすことができる。さらに、引掛け溝内側に溜まる水は、排出路を通して、引掛け溝外部に排出できる。そして、引掛け溝内側に水が長期間に亙って溜まり続けて、その水が腐敗等するのを、防ぐことができる。加えて、ハンギング型のポットを、水の溜まった水槽内側に吊るした場合には、ポット上方に伸びる吊り腕を手で持って、そのポットを水槽上方に持ち上げることができる。そして、そのポットを、水槽内に溜まった水中に手を入れて、その手を水等で汚さずに、水槽上方に持ち上げることができる。水槽内から取り出したポットに植え込まれた植物には、肥料を与える等の処置を施すことができる。
【００１３】
本発明の第１のビオトープ空間形成装置においては、その水槽の側面に設けられた排水穴を水が流通可能なように塞ぐ網蓋を、オプション的に設けると、良い。
【００１４】
そうした場合には、その網蓋により、連結管が接続された水槽側面の排水穴を水が流通可能なように塞ぐことができる。そして、その網蓋により塞がれた排水穴及び該穴に接続された連結管内を通して、連結管により互いに接続された隣り合う一方の水槽内から、魚類等の生物が、他方の水槽内に逃げ出すのを、網蓋により防ぐことができる。そして、その連結管により互いに接続された隣り合う一方の水槽内の生物が他方の水槽内の生物と混ざり合うのを、防ぐことができる。
【００１５】
本発明の第１、第２のビオトープ空間形成装置においては、その水槽の側壁を、四角形以上の多角形状、円形状又はそれらに近い形状とすると、良い。
【００１６】
そうした場合には、その水槽の側壁が円形又はそれに近い形状になる程、その水槽内側の隅部に、死水と呼ばれる、水が滞留して動かない箇所が多数発生して、その水槽内の水が腐敗し易くなるのを、防ぐことができる。
【００１７】
本発明の第１のビオトープ空間形成装置においては、その連結管を、その上部周壁に、連結管内側を覗くことの可能な窓を持つものとすると、良い。
【００１８】
そうした場合には、その連結管の上部周壁に開口する窓を通して、連結管内を通して、隣り合う水槽の間を移動する生物の動きを詳細に観察できる。また、その窓を通して、水を通すことの可能なネットを連結管内側に挿入できる。そして、そのネットにより、連結管により互いに接続された隣り合う水槽内の生物が、連結管内を通して、その隣り合う水槽内を互いに行き来するのを、防ぐことができる。
【００１９】
本発明の第１のビオトープ空間形成装置においては、その連結管を、屈曲可能な蛇腹管構造とすると、良い。
【００２０】
そうした場合には、その連結管により互いに接続された隣り合う水槽の相互の位置関係を、その隣り合う水槽間を互いに接続している蛇腹管構造をした連結管を様々の方向に屈曲させて、その水槽が置かれた設置場所の形状に合わせて、自在に変更調整できる。そして、設置場所の形状が様々に屈曲等していても、その設置場所の形状に的確に合わせて、その設置場所に沿って複数の水槽を連結管を介して互いに接続した状態に並べて設置できる。
【発明を実施するための最良の形態】
【００２１】
次に、本発明の実施の形態を図面に従い説明する。
図１ないし図４は本発明の第１のビオトープ空間形成装置の好適な実施の形態を示し、図１はその使用状態説明図、図２はその水槽の正面図、図３は図２のＡ−Ａ断面図、図４はその連結管の使用状態説明図である。以下に、この第１のビオトープ空間形成装置を説明する。
【００２２】
図の第１のビオトープ空間形成装置は、狭い敷地、ベランダ等のビオトープ空間を形成しようとする小規模の施設場所に並べて設置可能な大きさ及び形状をした複数の小型の水槽１０を備えている。複数の各水槽１０の４方以上（図では、４方としている）の側面のそれぞれには、水槽１０内の水を排出する排水穴１２が設けられている。
具体的には、複数の各水槽１０が、上端が広く開口した小方形箱体状をしている。そして、その小方形箱体状をした水槽１０の４方の側面中央のそれぞれに、円形状の排水穴１２が設けられている。
また、図の第１のビオトープ空間形成装置では、水槽１０側面の排水穴１２を塞ぐ止水栓２０が設けられている。止水栓２０は、例えば、図３に示したように、円板状の蓋体２２の裏面中央に雄ネジが周囲面に刻設された円筒体２４が突設された形状をしている。そして、その円筒体２４を雌ネジが内周面に刻設された排水穴１２に蓋体２２表面に付設された取っ手２６を手で持つ等して捩り込むことにより、蓋体２２で水槽側面の排水穴１２を、その外側又はその内側から塞ぐことがができるように構成されている。その際には、図３に示したように、排水穴１２周囲の蓋体２２裏面と水槽１０側面との間にゴムパッキン２８を介在させて、そのゴムパッキン２８により、止水栓２０と排水穴１２との間の隙間から、水槽１０内の水が水槽１０外部に漏れ出すのを防ぐことができる構造をしている。
また、図の第１のビオトープ空間形成装置では、水槽側面の排水穴１２を通して、隣り合う水槽１０の内側空間を互いに連結するための連結管３０が備えられている。連結管３０は、図４に示したように、円筒体３２の一方と他方の端部の周囲に、雄ネジが刻設された形状をしている。円筒体３２端部の雄ネジは、その一方が右ネジ構造をしており、その他方が左ネジ構造をしている。円筒体３２の中央部周囲には、円筒体３２を手で回転し易くするための突条３４が設けられている。そして、円筒体３２の雄ネジ構造をした一方と他方の端部を、隣り合う水槽１０側面の雌ネジ穴構造をした排水穴１２にそれぞれ捩り込むことにより、連結管３０の一方と他方の端部を、隣り合う水槽側面の排水穴１２にそれぞれ接続できる構造をしている。そして、その連結管３０により、隣り合う水槽１０の内側空間を排水穴１２を通して互いに接続した状態において、その連結管３０により互いに接続された隣り合う水槽１０内の水が連結管３０内を通して互いに流通し合えるようにしている。その際には、排水穴１２周囲の円筒体３２端部の段差面と水槽１０側面との間にゴムパッキン２８を介在させて、そのゴムパッキン２８により、連結管３０と排水穴１２との間の隙間から、水槽１０内の水が水槽１０外部に漏れ出すのを防ぐことができる構造をしている。
【００２３】
図５は本発明の第２のビオトープ空間形成装置の好適な実施の形態を示し、図５はその使用状態を示す平面図である。以下に、この第２のビオトープ空間形成装置を説明する。
【００２４】
図の第２のビオトープ空間形成装置は、狭い敷地、ベランダ等のビオトープ空間を形成しようとする小規模の施設場所に設置可能な大きさ及び形状をした小型の水槽１０を備えている。水槽１０の４方以上（図では、４方としている）の側面のそれぞれには、水槽１０内の水を排出する排水穴１２が設けられている。
また、図の第２のビオトープ空間形成装置では、水槽側面の排水穴１２を塞ぐ止水栓２０が設けられている。止水栓２０は、例えば、前述の図２と図３に示したような構造をしている。
【００２５】
図１ないし図４に示した第１のビオトープ空間形成装置、図５に示した第２のビオトープ空間形成装置は、以上のように構成されている。
次に、この第１、第２のビオトープ空間形成装置の使用例並びにその作用を説明する。
第１のビオトープ空間形成装置を用いて、狭い空き地やベランダ等にビオトープ空間を形成しようとする場合には、そのビオトープ空間を形成しようとする小規模の施設場所に、図１に示したように、複数の水槽１０を、その設置場所の形状に倣って、適宜曲がりくねらせる等して、障害物を避けて、並べて設置する。
また、その小規模の設置場所に並べて置かれた複数の隣り合う各水槽１０の対向する側面に設けられた排水穴１２に、図１に示したように、連結管３０の一方の端部と他方の端部とをそれぞれ接続する。
すると、その小規模の設置場所に、曲がりくねらせる等して、障害物を避けて、並べて置かれた複数の各水槽１０内に貯留された水を、連結管３０内を通して、互いに流通させ合うことができる。そして、その連結管３０により互いに接続された複数の各水槽１０内の水中で、魚類や水棲昆虫等の生物を、飼育できる。
他方、その小規模の設置場所に沿って並べて置かれた複数の各水槽１０側面の連結管３０が接続されていない排水穴１２は、図１に示したように、止水栓２０により塞いでおく。
すると、その止水栓２０で塞がれた排水穴１２から、水槽１０内の水が水槽１０外部に漏れ出すのを防いで、その水槽１０内に水を貯めた状態とすることができる。そして、その水槽１０内に水中で、魚類や水棲昆虫等の生物を、飼育できる。
また、場合によっては、連結管３０が接続された水槽側面の排水穴１２を、その内側から止水栓２０で塞ぐようにする。
すると、その止水栓２０で塞がれた排水穴１２及び該穴に接続された連結管３０内を通して、その水槽１０内の水が他の水槽１０に漏れ出したり、その水槽１０内の生物が他の水槽１０内に移動したりするのを、防ぐことができる。
また、第２のビオトープ空間形成装置を用いて、狭い空き地やベランダ等にビオトープ空間を形成しようとする場合には、そのビオトープ空間を形成しようとする小規模の施設場所に、１個以上の水槽１０を、その設置場所の形状に倣って、障害物を避けて、設置する。水槽１０は、連結管３０を介して他の水槽１０に接続せずに、他の水槽１０から独立させた状態で、設置場所に置く。水槽１０の側面に設けられた全ての排水穴１２は、図５に示したように、止水栓２０により塞いでおく。
すると、その独立させた状態で設置場所に置いた１個以上の水槽１０内の水が、排水穴１２から水槽１０外部に漏れ出すのを、止水栓２０により防いで、その水槽１０内に水を貯めた状態とすることができる。そして、その水槽１０内の水中で、魚類や水棲昆虫等の生物を、他の水槽１０内の生物から独立させて離した状態で、飼育できる。
その結果、第１、第２のビオトープ空間形成装置を用いて、曲がりくねる等した狭い空き地や、様々の障害物が置かれたベランダ等の身近な場所に、連結管３０で互いに接続された状態で並べて置かれたり、他の水槽１０から独立させて置かれたりした、複数の水槽１０からなる様々の生物を飼育するための、ビオトープ空間を、形成できる。
または、第１のビオトープ空間形成装置のみを用いて、狭い空き地やベランダ等の身近な場所に、連結管３０で互いに接続された状態で並べて置かれた複数の水槽１０からなる様々の生物を飼育するための、ビオトープ空間を形成できる。
あるいは、第２のビオトープ空間形成装置のみを用いて、狭い空き地やベランダ等の身近な場所に、連結管３０で互いに接続されない状態で独立させて置かれた１個以上の水槽１０からなる様々の生物を飼育するための、ビオトープ空間を形成できる。
【００２６】
また、図１に示したように、そのビオトープを形成しようとする場所に、第１のビオトープ空間形成装置を用いて、複数の水槽１０を連結管３０により互いに接続した状態で並べて置いた場合には、その下流側の水槽１０内の水を、その上流側の水槽１０内に、水槽１０外部に設けられた水循環路５２を通して戻す、ポンプ機構等を持つ水循環手段５０を備えても、良い。
そうした場合には、その下流側の水槽１０内と上流側の水槽１０内とに亙って、水槽１０外部に設けられた水循環路５２を通して、水循環手段５０により、水を循環させることができる。そして、そのビオトープを形成しようとする場所に、連結管３０により互いに接続された状態で並べて置かれた複数の水槽１０内の環境を、より自然の状態に近づけることができる。
また、水循環路５２には、冷却装置６０や浄化装置を７０備えても、良い。
そうした場合には、その冷却装置６０により、水循環路５２を通して上流側の水槽１０内に戻す水を所望温度に冷却したり、その浄化装置７０により、水循環路５２を通して上流側の水槽１０内に戻す水を有機物等を含まない浄化された水とすることができる。そして、その冷却されたり、浄化されたりした水が戻される上流側の水槽１０内では、冷たい清流を好むイワナ等の生物を飼育し、多少汚れがあって比較的暖かな水が上流側の水槽１０内から連結管３０内を通して流れ込む下流側の水槽１０内では、そのような環境であっても差し支えのない身近な魚類や水棲昆虫等を飼育することができる。
【００２７】
また、このようにして、ビオトープを形成しようとする場所に、複数の水槽１０を連結管２０により互いに接続した状態で並べて置いて、その下流側の水槽１０内の水を、上流側の水槽１０内に戻す、水循環手段５０を備えた場合には、その連結管３０により互いに接続された状態で並べて置かれた複数の各水槽１０内に、濾過材（図示せず）を敷設しても、良い。
そうした場合には、その濾過材により、その複数の各水槽１０内の水中に生息する生物が排泄する有機物等を濾過して除去することができる。そして、その複数の各水槽１０内の水をクリーンな状態に保持し続けることができる。
【００２８】
第１のビオトープ空間形成装置においては、連結管３０を、長短の複数の長さを持つものから構成すると、良い。
【００２９】
そうした場合には、ビオトープを形成しようとする場所に大小様々の間隔をあけて並べて置かれた複数の隣り合う水槽１０の間を、その大小様々の間隔に合った、長短の連結管３０を介して、容易かつ的確に接続できる。そして、その複数の水槽１０を、より自由な配列で、ビオトープを形成しようとする場所に大小様々の間隔をあけて自在に並べて置くことができる。
【００３０】
第１、第２のビオトープ空間形成装置においては、図３と図５に示したように、その水槽１０の側壁上端に沿って、植物植え込み用のハンギング型のポットを引掛けて吊るすための引掛け溝８０を連続して設けると共に、その引掛け溝８０内側に溜まる水を引掛け溝８０外部の水槽１０内等に排出する排出路８２を設けると、良い。
【００３１】
そうした場合には、図６に示したように、そのビオトープ空間の施設場所に置かれた水槽１０の側壁上端に沿って設けられた引掛け溝８０に、様々の植物を植え込んだハンギング型のポット９０を引掛けて吊るすことができる。ハンギング型のポット９０は、水槽１０外側に吊るしても良いし、図６に示したように、水の溜まった水槽１０内側に吊るしても良い。そして、地上植物や水棲植物が植え込まれたビオトープ空間を自在に具現化できる。また、植物を植え込んだハンギング型のポット９０を、水槽１０の側壁上端に沿って連続して設けられた引掛け溝８０の様々の箇所に自在に引掛けて吊るすことができる。さらに、引掛け溝８０内側に溜まる水は、排出路８２を通して、引掛け溝８０外部に排出できる。そして、引掛け溝８０内側に水が長期間に亙って溜まり続けて、その水が腐敗等するのを、防ぐことができる。加えて、ハンギング型のポット９０を、水の溜まった水槽１０内側に吊るした場合には、ポット９０上方に伸びる吊り腕９２を手で持って、そのポット９０を、水槽１０内に溜まった水中に手を入れて、その手を水等で汚さずに、水槽１０上方に持ち上げることができる。水槽１０内から取り出したポット９０に植え込まれた植物には、肥料を与える等の処置を施すことができる。
【００３２】
第１のビオトープ空間形成装置においては、その水槽１０の側面に設けられた排水穴１２を水が流通可能なように塞ぐ、図７（ｂ）、（ｃ）に示したような、網蓋１００を、オプション的に設けると、良い。
【００３３】
そうした場合には、その網蓋１００により、図７（ａ）に示したような、連結管３０が接続された水槽側面の排水穴１２を、その内側から水が流通可能なように塞ぐことができる。そして、その網蓋１００により塞がれた排水穴１２及び該穴に接続された連結管３０内を通して、連結管３０により互いに接続された隣り合う一方の水槽１０内から、魚類等の生物が、他方の水槽１０内に逃げ出すのを、網蓋１００により防ぐことができる。そして、その連結管３０により互いに接続された隣り合う一方の水槽１０内の生物が他方の水槽１０内の生物と混ざり合うのを、防ぐことができる。
【００３４】
第１、第２のビオトープ空間形成装置においては、その水槽１０の側壁を、四角形以上の多角形状、円形状又はそれらに近い形状とすると、良い。
【００３５】
そうした場合には、その水槽１０の側壁が円形又はそれに近い形状になる程、その水槽１０内側の隅部に、死水と呼ばれる、水が滞留して動かない箇所が多数発生して、その水槽１０内の水が腐敗し易くなるのを、防ぐことができる。
【００３６】
第１のビオトープ空間形成装置においては、その連結管３０を、図８に示したように、その上部周壁に、連結管３０内側を覗くことの可能な筒状等の窓３８を持つものとすると、良い。
【００３７】
そうした場合には、その連結管３０の上部周壁に開口する窓３８を通して、連結管３０内を通して、隣り合う水槽１０の間を移動する生物の動きを詳細に観察できる。また、その窓３８を通して、水を通すことの可能なネット（図示せず）を連結管３０内側に挿入できる。そして、そのネットにより、連結管３０により互いに接続された隣り合う水槽１０内の生物が、連結管３０内を通して、その隣り合う水槽１０内を互いに行き来するのを、防ぐことができる。
【００３８】
第１のビオトープ空間形成装置においては、その連結管３０を、図９に示したように、屈曲可能な蛇腹管構造としても、良い。
【００３９】
そうした場合には、その連結管３０により互いに接続された隣り合う水槽１０の相互の位置関係を、その隣り合う水槽１０間を互いに接続している蛇腹管構造をした連結管３０を様々の方向に屈曲させて、その水槽１０が置かれた設置場所の形状に合わせて、自在に変更調整できる。そして、設置場所の形状が様々に屈曲等していても、その設置場所の形状に的確に合わせて、その設置場所に沿って複数の水槽１０を連結管３０を介して互いに接続した状態に自在に並べて設置できる。
【００４０】
第１、第２のビオトープ空間形成装置においては、図１０に示したように、雌型状をした連結管３０端部や雌型状をした止水栓２０端部に雄型状をした排水穴１２端部を押入することにより、連結管３０端部を水槽側面の排水穴１２に接続したり、止水栓２０で水槽側面の排水穴１２を塞いだりする構造としても、良い。
【産業上の利用可能性】
【００４１】
本発明の第１、第２のビオトープ空間形成装置は、日常生活を営む狭い空き地、ベランダ等の身近な場所にビオトープを手数を掛けずに手軽に形成しようとする場合に、有効利用可能である。
【図面の簡単な説明】
【００４２】
【図１】本発明の第１のビオトープ空間形成装置の使用状態説明図である。
【図２】本発明の第１のビオトープ空間形成装置の水槽の正面図である。
【図３】図２のＡ−Ａ断面図である。
【図４】本発明の第１のビオトープ空間形成装置の連結管の使用状態説明図である。
【図５】本発明の第２のビオトープ空間形成装置の使用状態を示す平面図である。
【図６】本発明の第１、第２のビオトープ空間形成装置のハンギング型のポットの使用状態説明図である。
【図７】本発明の第１のビオトープ空間形成装置の網蓋の説明図である。
【図８】本発明の第１のビオトープ空間形成装置の連結管の説明図である。
【図９】本発明の第１のビオトープ空間形成装置の連結管の説明図である。
【図１０】本発明の第１のビオトープ空間形成装置の連結管の接続構造説明図である。
【符号の説明】
【００４３】
１０  水槽
１２  排水穴
２０  止水栓
２２  蓋体
２８  ゴムパッキン
３０  連結管
３８  窓
５０  水循環手段
５２  水循環路
６０  冷却装置
７０  浄化装置
８０  引掛け溝
８２  排出路
９０  ハンギング型のポット
１００  網蓋
【図１】
2005137317.tif 000003
【図２】
2005137317.tif 000004
【図３】
2005137317.tif 000005
【図４】
2005137317.tif 000006
【図５】
2005137317.tif 000007
【図６】
2005137317.tif 000008
【図７】
2005137317.tif 000009
【図８】
2005137317.tif 000010
【図９】
2005137317.tif 000011
【図１０】
2005137317.tif 000012